(57)【要約】【課題】表示装置における色温度および輝度の設定値を、表示設定の目標値に、より容易且つ精度よく近づける。【解決手段】表示装置設定部２１は、入力装置等を介して入力されてくる、ハードウェアカラーマッチングにおける表示装置３０の目標値を取得する目標値取得部２１１と、表示画面３１に表示された画像を測色器１００で読み取った結果である測定値を取得する測定値取得部２１２と、測定値取得部２１２が取得した測定値に基づいて予測値を演算する予測値演算部２１３と、目標値取得部２１１が取得した目標値と、測定値取得部２１２が取得した測定値と、予測値演算部２１３が演算した予測値とに基づいて、表示装置３０における表示条件（設定値）を決定する表示条件決定部２１４とを有する。【選択図】図３
2014239307.tif 000002
【特許請求の範囲】
【請求項１】
画像を表示する表示装置に対する、色温度および輝度を含む表示設定の目標値を取得する目標値取得手段と、
前記表示設定が前記表示装置に固有な複数の状態に順次変更される当該表示装置から、当該複数の状態のそれぞれにおける、前記色温度および前記輝度を含む表示特性の測定値を取得する測定値取得手段と、
前記目標値と複数の前記測定値とに基づき、前記複数の状態の中から、前記色温度および前記輝度を含む前記表示設定の設定値を決定する決定手段と
を含む表示装置の設定装置。
【請求項２】
複数の前記測定値に基づき、前記表示装置に固有な他の状態における、前記色温度および前記輝度を含む表示特性の予測値を予測する予測手段をさらに含み、
前記決定手段は、前記目標値と前記複数の前記測定値と前記予測値とに基づき、前記複数の状態および前記他の状態の中から、前記設定値を決定すること
を特徴とする請求項１記載の表示装置の設定装置。
【請求項３】
前記決定手段は、決定した前記設定値を前記目標値に置き換えることを特徴とする請求項１または２記載の表示装置の設定装置。
【請求項４】
前記設定値に基づき、外部から入力されている色信号に色変換処理を施して前記表示装置に出力する色変換手段をさらに含み、
前記決定手段は、前記色変換手段による前記色変換処理を加味して前記設定値を決定すること
を特徴とする請求項１乃至３のいずれか１項記載の表示装置の設定装置。
【請求項５】
画像を表示する表示装置に対する、色温度および輝度を含む表示設定の目標値を取得するステップと、
前記表示設定が前記表示装置に固有な複数の状態に順次変更される当該表示装置から、当該複数の状態のそれぞれにおける、前記色温度および前記輝度を含む表示特性の測定値を取得するステップと、
前記目標値と複数の前記測定値とに基づき、前記複数の状態の中から、前記色温度および前記輝度を含む前記表示設定の設定値を決定するステップと
を含む表示装置の設定方法。
【請求項６】
コンピュータに、
画像を表示する表示装置に対する、色温度および輝度を含む表示設定の目標値を取得する機能と、
前記表示設定が前記表示装置に固有な複数の状態に順次変更される当該表示装置から、当該複数の状態のそれぞれにおける、前記色温度および前記輝度を含む表示特性の測定値を取得する機能と、
前記目標値と複数の前記測定値とに基づき、前記複数の状態の中から、前記色温度および前記輝度を含む前記表示設定の設定値を決定する機能と
を実現させるプログラム。
【発明の詳細な説明】
【技術分野】
【０００１】
本発明は、表示装置の設定装置、表示装置の設定方法およびプログラムに関する。
【背景技術】
【０００２】
公報記載の従来技術として、映像信号を取得する映像信号取得部と、ユーザーからのコントラスト調整値を入力するためのコントラスト調整値入力部と、コントラスト調整値入力部へ入力されるコントラスト調整値が最大値か判断する判断部と、判断部での判断結果が最大値であるとの判断結果である場合に、取得した映像信号に応じてディスプレイ装置に出力可能なＲＧＢ信号の最大値をディスプレイ装置が表現可能な最大値とする第一ホワイトバランス調整部とを備えた映像処理装置が知られている（特許文献１参照）。
【先行技術文献】
【特許文献】
【０００３】
【特許文献１】特開２００７−１４２９８３号公報
【発明の概要】
【発明が解決しようとする課題】
【０００４】
本発明は、表示装置における色温度および輝度の設定値を、表示設定の目標値に、より容易且つ精度よく近づけることを目的とする。
【課題を解決するための手段】
【０００５】
請求項１記載の発明は、画像を表示する表示装置に対する、色温度および輝度を含む表示設定の目標値を取得する目標値取得手段と、前記表示設定が前記表示装置に固有な複数の状態に順次変更される当該表示装置から、当該複数の状態のそれぞれにおける、前記色温度および前記輝度を含む表示特性の測定値を取得する測定値取得手段と、前記目標値と複数の前記測定値とに基づき、前記複数の状態の中から、前記色温度および前記輝度を含む前記表示設定の設定値を決定する決定手段とを含む表示装置の設定装置である。
【０００６】
請求項２記載の発明は、複数の前記測定値に基づき、前記表示装置に固有な他の状態における、前記色温度および前記輝度を含む表示特性の予測値を予測する予測手段をさらに含み、前記決定手段は、前記目標値と前記複数の前記測定値と前記予測値とに基づき、前記複数の状態および前記他の状態の中から、前記設定値を決定することを特徴とする請求項１記載の表示装置の設定装置である。
請求項３記載の発明は、前記決定手段は、決定した前記設定値を前記目標値に置き換えることを特徴とする請求項１または２記載の表示装置の設定装置である。
請求項４記載の発明は、前記設定値に基づき、外部から入力されている色信号に色変換処理を施して前記表示装置に出力する色変換手段をさらに含み、前記決定手段は、前記色変換手段による前記色変換処理を加味して前記設定値を決定することを特徴とする請求項１乃至３のいずれか１項記載の表示装置の設定装置である。
【０００７】
請求項５記載の発明は、画像を表示する表示装置に対する、色温度および輝度を含む表示設定の目標値を取得するステップと、前記表示設定が前記表示装置に固有な複数の状態に順次変更される当該表示装置から、当該複数の状態のそれぞれにおける、前記色温度および前記輝度を含む表示特性の測定値を取得するステップと、前記目標値と複数の前記測定値とに基づき、前記複数の状態の中から、前記色温度および前記輝度を含む前記表示設定の設定値を決定するステップとを含む表示装置の設定方法である。
【０００８】
請求項６記載の発明は、コンピュータに、画像を表示する表示装置に対する、色温度および輝度を含む表示設定の目標値を取得する機能と、前記表示設定が前記表示装置に固有な複数の状態に順次変更される当該表示装置から、当該複数の状態のそれぞれにおける、前記色温度および前記輝度を含む表示特性の測定値を取得する機能と、前記目標値と複数の前記測定値とに基づき、前記複数の状態の中から、前記色温度および前記輝度を含む前記表示設定の設定値を決定する機能とを実現させるプログラムである。
【発明の効果】
【０００９】
請求項１記載の発明によれば、本構成を有していない場合と比較して、表示装置における色温度および輝度の設定値を、表示設定の目標値に、より容易且つ精度よく近づけることができる。
請求項２記載の発明によれば、本構成を有していない場合と比較して、表示装置における色温度および輝度の設定値を、表示設定の目標値に、さらにより容易且つ精度よく近づけることができる。
請求項３記載の発明によれば、本構成を有していない場合と比較して、例えば目標値に基づいて作成される色変換プロファイルの精度を向上させることができる。
請求項４記載の発明によれば、本構成を有していない場合と比較して、色変換処理された画像の色を目標とする色に近づけることができる。
請求項５記載の発明によれば、本構成を有していない場合と比較して、表示装置における色温度および輝度の設定値を、表示設定の目標値に、より容易且つ精度よく近づけることができる。
請求項６記載の発明によれば、本構成を有していない場合と比較して、表示装置における色温度および輝度の設定値を、表示設定の目標値に、より容易且つ精度よく近づけることができる。
【図面の簡単な説明】
【００１０】
【図１】本発明の実施の形態が適用される画像表示システムの構成の一例を示した図である。
【図２】コンピュータ装置のハードウェア構成を示した図である。
【図３】コンピュータ装置の機能構成例を示した図である。
【図４】本実施の形態で使用される表示装置における表示設定の一覧を示した図である。
【図５】表示装置のカラーマッチング動作における処理手順を示すフローチャートである。
【図６】輝度目標値修正処理における処理手順を示すフローチャートである。
【図７】ステップ１０４で取得される測定値の一例を示す図である。
【図８】ステップ１０８で予測される予測値の一例を示す図である。
【図９】ステップ１０８における予測値の算出手法を説明するための図である。
【図１０】ステップ１１１における差分の算出およびステップ１１２における差分の調整を説明するための図である。
【図１１】色温度重み係数および輝度重み係数を説明するための図である。
【図１２】ステップ１１０における輝度目標値修正処理の手順の一例を説明する図である。
【図１３】ステップ１１０における輝度目標値修正処理の手順の他の一例を説明するための図である。
【発明を実施するための形態】
【００１１】
以下、添付図面を参照して、本発明の実施の形態について詳細に説明する。
図１は、本実施の形態が適用される画像表示システム１０の構成の一例を示した図である。
この画像表示システム１０は、表示のための画像データの作成等を行うコンピュータ装置２０と、コンピュータ装置２０で作成された画像データに基づく画像を表示画面３１に表示する表示装置３０と、コンピュータ装置２０に対する入力等を受け付ける入力装置４０とを備えている。
【００１２】
この画像表示システム１０において、コンピュータ装置２０および表示装置３０はＤＶＩ（Digital Visual Interface）を介して接続されており、コンピュータ装置２０および入力装置４０はＵＳＢ（Universal Serial Bus）を介して接続されている。なお、コンピュータ装置２０および表示装置３０については、ＤＶＩに代えて、ＨＤＭＩ（High-Definition Multimedia Interface：登録商標）やDisplayPortを介して接続するようにしてもかまわない。
【００１３】
コンピュータ装置２０は、所謂汎用のパーソナルコンピュータ（ＰＣ）である。そして、コンピュータ装置２０は、ＯＳ（Operating System）の管理下において、各種アプリケーションソフトウェアを動作させることで、画像データの作成等を実行するようになっている。
【００１４】
また、表示装置３０は、例えばＰＣ用の液晶ディスプレイ、液晶テレビあるいはプロジェクタなど、加法混色にて画像を表示する機能を備えたもので構成される。したがって、表示装置３０における表示方式は、液晶方式に限定されるものではない。なお、図１では、表示装置３０としてＰＣ用の液晶ディスプレイを用いた場合を例示していることから、表示装置３０内に表示画面３１が設けられているが、表示装置３０として例えばプロジェクタを用いる場合、表示画面３１は、表示装置３０の外部に設けられたスクリーン等となる。
【００１５】
さらに、入力装置４０としては、例えば図１に示すキーボード装置や、図示しないマウス装置等が挙げられる。
【００１６】
この画像表示システム１０では、例えば入力装置４０およびコンピュータ装置２０を用いて作成した画像データに基づく画像を、表示装置３０の表示画面３１に表示させるようになっている。ここで、コンピュータ装置２０で動作するアプリケーションソフトウェアを用いて製品のデザイン等を行う場合には、表示装置３０における表示画面３１に、画像を正しい色で表示させることが要求される。このため、この画像表示システム１０では、表示装置３０の表示画面３１に表示させる画像の色を較正するカラーマッチング動作を実行できるようになっている。ここで、本実施の形態におけるカラーマッチング動作には、表示装置３０の色温度および輝度のそれぞれをハードウェアの設定を変更して目標とする大きさに色調整するハードウェアカラーマッチング動作と、コンピュータ装置２０での色変換処理に用いられる色変換プロファイルを、表示装置３０のデバイス特性に応じて作成するソフトウェアカラーマッチング動作とが含まれる。色変換プロファイルは、コンピュータ装置２０のビデオカード、ＯＳ、あるいはコンピュータ装置２０で使用するアプリケーションにおいて、色変換処理を実行する際に利用される。
【００１７】
なお、図１には、上記カラーマッチング動作において用いられ、表示装置３０の表示画面３１に表示された画像の読み取り（デバイス特性の測定）に用いられる測色器１００を、画像表示システム１０と併せて示している。
【００１８】
図２は、コンピュータ装置２０のハードウェア構成を示した図である。
コンピュータ装置２０は、上述したようにパーソナルコンピュータ等により実現される。そして、コンピュータ装置２０は、演算手段であるＣＰＵ（Central Processing Unit）２０ａと、記憶手段であるメインメモリ２０ｂおよびＨＤＤ（Hard Disk Drive）２０ｃとを備える。ここで、ＣＰＵ２０ａは、ＯＳやアプリケーションソフトウェア等の各種プログラムを実行する。また、メインメモリ２０ｂは、各種プログラムやその実行に用いるデータ等を記憶する記憶領域であり、ＨＤＤ２０ｃは、各種プログラムに対する入力データや各種プログラムからの出力データ等を記憶する記憶領域である。さらに、コンピュータ装置２０は、入力装置４０や表示装置３０を含む外部との通信を行うための通信インタフェース（以下、「通信Ｉ／Ｆ」と表記する）２０ｄを備えている。
【００１９】
なお、このプログラムに関する提供形態としては、予めＨＤＤ２０ｃに格納された状態にて提供され、メインメモリ２０ｂにロードされる形態がある。また、インターネット等のネットワークを介してコンピュータ装置２０にプログラムが伝送され、通信Ｉ／Ｆ２０ｄを介してＨＤＤ２０ｃにインストールされ、メインメモリ２０ｂにロードされる形態がある。さらにまた、ＤＶＤ−ＲＯＭやフラッシュメモリ等の外部記録媒体からメインメモリ２０ｂにロードされる形態がある。
【００２０】
図３は、本実施の形態のコンピュータ装置２０の機能構成例を示した図である。
このコンピュータ装置２０は、表示装置３０における表示条件の設定を行う表示装置設定部２１と、表示装置設定部２１が設定した表示条件と後述する目標値および測定値とを用いて、色変換において使用する色変換プロファイルを作成する色変換プロファイル作成部２２と、色変換プロファイル作成部２２が作成した色変換プロファイルを用いて、外部から入力されてくる色信号（ＲＧＢ）に色変換処理を施し、変換後の色信号（Ｒ’Ｇ’Ｂ‘）を表示装置３０に向けて出力する色変換部２３とを有している。
【００２１】
これらのうち、表示装置設定部２１は、入力装置４０（図１参照）等を介して入力されてくる、ハードウェアカラーマッチングにおける表示装置３０の目標値を取得する目標値取得部２１１と、表示画面３１に表示された画像を測色器１００で読み取った結果である測定値を取得する測定値取得部２１２と、測定値取得部２１２が取得した測定値に基づいて予測値を演算する予測値演算部２１３と、目標値取得部２１１が取得した目標値と、測定値取得部２１２が取得した測定値と、予測値演算部２１３が演算した予測値とに基づいて、表示装置３０における表示条件（設定値）を決定する表示条件決定部２１４とを有している。ここで、目標値、測定値および予測値は、それぞれが色温度に関する値（色温度値）と輝度に関する値（輝度値）とを含んでいる。すなわち、目標値は色温度目標値と輝度目標値とを含み、測定値は色温度測定値と輝度測定値とを含み、予測値は色温度予測値と輝度予測値とを含む。また、表示条件（設定値）も、色温度値と輝度値とを含むものとなっている。
【００２２】
なお、本実施の形態では、目標値取得部２１１が目標値取得手段として、測定値取得部２１２が測定値取得手段として、予測値演算部２１３が予測手段として、表示条件決定部２１４が決定手段として、それぞれ機能している。また、色変換部２３が色変換手段として機能している。
【００２３】
図４は、本実施の形態で使用される表示装置３０における表示設定の一覧を示した図である。この表示装置３０では、画像を表示するにあたり、色温度および輝度の設定を連続的に変更できるわけではなく、それぞれを離散的に設定できるようになっている。ここで、本実施の形態では、色温度が５段階（低、低中、中、中高、高）に、輝度が３段階（暗、中、明）に、それぞれ設定できるようになっており、両者の組み合わせにより、合計で１５通りの表示設定が可能となっている。そして、上記表示条件決定部２１４は、これら１５通りの表示設定の中から、１つの表示設定を表示条件として選択するようになっている。
【００２４】
なお、以下の説明においては、色温度「低」と輝度「暗」との組み合わせを第１設定Ｓｅｔ１、色温度「低中」と輝度「暗」との組み合わせを第２設定Ｓｅｔ２、色温度「中」と輝度「暗」との組み合わせを第３設定Ｓｅｔ３、色温度「中高」と輝度「暗」との組み合わせを第４設定Ｓｅｔ４、色温度「高」と輝度「暗」との組み合わせを第５設定Ｓｅｔ５、とそれぞれ呼ぶことにする。また、色温度「低」と輝度「中」との組み合わせを第６設定Ｓｅｔ６、色温度「低中」と輝度「中」との組み合わせを第７設定Ｓｅｔ７、色温度「中」と輝度「中」との組み合わせを第８設定Ｓｅｔ８、色温度「中高」と輝度「中」との組み合わせを第９設定Ｓｅｔ９、色温度「高」と輝度「中」との組み合わせを第１０設定Ｓｅｔ１０、とそれぞれ呼ぶことにする。さらに、色温度「低」と輝度「明」との組み合わせを第１１設定Ｓｅｔ１１、色温度「低中」と輝度「明」との組み合わせを第１２設定Ｓｅｔ１２、色温度「中」と輝度「明」との組み合わせを第１３設定Ｓｅｔ１３、色温度「中高」と輝度「明」との組み合わせを第１４設定Ｓｅｔ１４、色温度「高」と輝度「明」との組み合わせを第１５設定Ｓｅｔ１５、とそれぞれ呼ぶことにする。
【００２５】
ではここで、本実施の形態の画像表示システム１０における表示装置３０のカラーマッチング動作について、詳細に説明を行う。
【００２６】
図５は、表示装置３０のカラーマッチング動作における処理手順を示すフローチャートである。
この処理においては、まず、コンピュータ装置２０の表示装置設定部２１に設けられた目標値取得部２１１が、目標値（色温度目標値および輝度目標値）を取得する（ステップ１０１）。次に、コンピュータ装置２０の表示装置設定部２１に設けられた表示条件決定部２１４が、ステップ１０１で取得された目標値と入力装置４０等を介して受け付けた指示とに基づいて、ハードウェアカラーマッチング動作における、表示装置３０の測定条件を決定する（ステップ１０２）。なお、ステップ１０２では、図４に示す１５個の表示設定のうちの複数（２個以上且つ１５個以下）の設定が、測定条件として選択される。
【００２７】
続いて、表示条件決定部２１４は、ステップ１０２で決定された複数の測定条件（表示設定）のうちの１つの測定条件を選択し、選択された１つの測定条件に、表示装置３０の表示設定を変更させる（ステップ１０３）。そして、ステップ１０３において設定された測定条件（表示設定）にて、測色器１００を用いて、表示装置３０（表示画面３１）のデバイス特性の測定を行う（ステップ１０４）。これにより、ステップ１０４では、測色器１００により、１つの測定条件における測定値（色温度測定値および輝度測定値）の取得が行われ、測色器１００が取得した測定値は、コンピュータ装置２０の表示装置設定部２１に設けられた測定値取得部２１２に出力される。
【００２８】
そして、表示条件決定部２１４は、ステップ１０２で決定された全ての測定条件におけるデバイス特性の取得が完了したか否かを判断する（ステップ１０５）。ステップ１０５において否定の判断（ＮＯ）を行った場合、表示条件決定部２１４は、ステップ１０３へと戻り、他の測定条件におけるデバイス特性の取得を続行する。
【００２９】
一方、ステップ１０５において肯定の判断（ＹＥＳ）を行った場合、表示条件決定部２１４は、入力装置４０等を介して予測値を使用する指示を受け付けているか否かを判断する（ステップ１０６）。
【００３０】
ステップ１０６において肯定の判断（ＹＥＳ）を行った場合、予測値演算部２１３は、図４に示す１５個の表示設定のうち、ステップ１０２において測定条件として選択されなかった残りの表示設定を、予測条件として決定する（ステップ１０７）。そして、予測値演算部２１３は、上記ステップ１０４で取得された複数の測定値を用いて、各予測条件における表示装置３０（表示画面３１）のデバイス特性の予測を行い（ステップ１０８）、後述するステップ１０９へと進む。これにより、ステップ１０８では、各予測条件のそれぞれに対応する予測値（色温度予測値および輝度予測値）の演算が行われる。なお、ステップ１０６において否定の判断（ＮＯ）を行った場合は、予測値の演算を行うことなく、そのままステップ１０９へと進む。
【００３１】
次に、表示条件決定部２１４は、入力装置４０等を介して、ステップ１０１で取得した目標値における輝度目標値を修正する旨の指示を受け付けているか否かを判断する（ステップ１０９）。ステップ１０９において肯定の判断（ＹＥＳ）を行った場合、表示条件決定部２１４は、輝度目標値を修正する処理を実行し（ステップ１１０）、後述するステップ１１１へと進む。一方、ステップ１０９において否定の判断（ＮＯ）を行った場合は、輝度目標値を修正することなく、そのままステップ１１１へと進む。
【００３２】
それから、表示条件決定部２１４は、ステップ１０１で取得された目標値（あるいは、ステップ１１０で修正された輝度目標値を含む目標値）と、ステップ１０４で取得された複数の測定値との差分を算出する（ステップ１１１）。なお、予測値を使用する場合、表示条件決定部２１４は、ステップ１１１において、ステップ１０１で取得された目標値（あるいは、ステップ１１０で修正された輝度目標値を含む目標値）と、ステップ１０８で取得された１または複数の予測値との差分も算出する。
【００３３】
続いて、表示条件決定部２１４は、ステップ１１１で求められた複数の差分に対し、設定条件毎に差分の調整を行い（ステップ１１２）、複数の調整済差分を得る。そして、表示条件決定部２１４は、ステップ１１２で得られた複数の調整済差分のうち、大きさが最小となる調整済差分に対応する設定条件（第１設定Ｓｅｔ１〜第１５設定Ｓｅｔ１５のいずれか）を、表示装置３０における表示条件として選択する（ステップ１１３）。
【００３４】
そして、色変換プロファイル作成部２２が、表示装置設定部２１から取得した目標値、測定値（予測値）および表示条件に基づき、色変換部２３で用いる色変換プロファイルを作成し（ステップ１１４）、カラーマッチング動作を完了する。
【００３５】
なお、図５に示すカラーマッチング動作の処理手順において、ステップ１０１〜ステップ１１３がハードウェアカラーマッチング動作に対応しており、ステップ１１４がソフトウェアカラーマッチング動作に対応している。
【００３６】
図６は、図５においてステップ１１０に示す輝度目標値修正処理における処理手順を示すフローチャートである。
この処理においては、まず、表示条件決定部２１４が、ステップ１０１で取得された目標値から白目標値を算出する（ステップ２０１）。次に、表示条件決定部２１４は、表示装置３０の表示画面３１に、ＲＧＢ各色の階調がそれぞれ最大となる最大階調画像（白画像）を表示させる（ステップ２０２）。そして、ステップ２０２において表示された最大階調画像（白画像）について、測色器１００を用いて、表示装置３０（表示画面３１）のデバイス特性の測定を行う（ステップ２０３）。これにより、ステップ２０３では、測色器１００により、最大階調画像（白画像）を表示させたときの測定値（白測定値と呼ぶ）の取得が行われ、測色器１００が取得した白測定値は、測定値取得部２１２に出力される。
【００３７】
次に、表示条件決定部２１４は、ステップ２０１で算出された白目標値と、ステップ２０３で取得された白測定値との差分（白差分と呼ぶ）を算出する（ステップ２０４）。続いて、表示条件決定部２１４は、ステップ２０４で得られた白差分のうち、大きさが最小となる最小差分値に基づいて白測定値の調整を行い（ステップ２０５）、調整済白測定値を得る。そして、表示条件決定部２１４は、得られた調整済白測定値における第２調整済白測定値（詳細は後述する）を、修正輝度目標値に設定し（ステップ２０６）、この処理を完了する。
【００３８】
では、上述したカラーマッチング動作（より具体的にはハードウェアカラーマッチング動作）における処理の内容について、具体例を挙げて説明する。なお、ここでは、ステップ１０１で取得される目標値Ｔにおいて、色温度目標値Ｔｔは６５００Ｋであり、輝度目標値Ｔｂは１００ｃｄ／ｍ２であるものとする。
【００３９】
図７は、図５に示すステップ１０４において取得される測定値Ｍの一例を示す図である。この例では、ステップ１０４で得られる測定値Ｍが、色温度の測定値である色温度測定値Ｍｔと、輝度の測定値である輝度測定値Ｍｂとを含んでいる。そして、図７は、測定値Ｍと、測定値Ｍを測定した測定条件（表示設定）と、測定値Ｍにおける色温度測定値Ｍｔおよび輝度測定値Ｍｂとを対応付けたものとなっている。
【００４０】
なお、ここでは、図４に示す１５個の表示設定から、ステップ１０２において、９つの表示設定（第１設定Ｓｅｔ１、第３設定Ｓｅｔ３、第５設定Ｓｅｔ５、第６設定Ｓｅｔ６、第８設定Ｓｅｔ８、第１０設定Ｓｅｔ１０、第１１設定Ｓｅｔ１１、第１３設定Ｓｅｔ１３および第１５設定Ｓｅｔ１５）が、測定条件として選択されているものとする。また、図７に示す例においては、測定値Ｍのうち、第１設定Ｓｅｔ１にて得られるものを第１測定値Ｍ１、第３設定Ｓｅｔ３にて得られるものを第２測定値Ｍ２、第５設定Ｓｅｔ５にて得られるものを第３測定値Ｍ３、第６設定Ｓｅｔ６にて得られるものを第４測定値Ｍ４、第８設定Ｓｅｔ８にて得られるものを第５測定値Ｍ５、第１０設定Ｓｅｔ１０にて得られるものを第６測定値Ｍ６、第１１設定Ｓｅｔ１１にて得られるものを第７測定値Ｍ７、第１３設定Ｓｅｔ１３にて得られるものを第８測定値Ｍ８、そして、第１５設定Ｓｅｔ１５にて得られるものを第９測定値Ｍ９、とそれぞれ呼ぶことにする。また、第１測定値Ｍ１は第１色温度測定値Ｍｔ１と第１輝度測定値Ｍｂ１とを含み、第２測定値Ｍ２は第２色温度測定値Ｍｔ２と第２輝度測定値Ｍｂ２とを含み、第３測定値Ｍ３は第３色温度測定値Ｍｔ３と第３輝度測定値Ｍｂ３とを含み、第４測定値Ｍ４は第４色温度測定値Ｍｔ４と第４輝度測定値Ｍｂ４とを含み、第５測定値Ｍ５は第５色温度測定値Ｍｔ５と第５輝度測定値Ｍｂ５とを含み、第６測定値Ｍ６は第６色温度測定値Ｍｔ６と第６輝度測定値Ｍｂ６とを含み、第７測定値Ｍ７は第７色温度測定値Ｍｔ７と第７輝度測定値Ｍｂ７とを含み、第８測定値Ｍ８は第８色温度測定値Ｍｔ８と第８輝度測定値Ｍｂ８とを含み、第９測定値Ｍ９は第９色温度測定値Ｍｔ９と第９輝度測定値Ｍｂ９とを含んでいる。
【００４１】
そして、第１測定値Ｍ１では、第１色温度測定値Ｍｔ１が４５００Ｋであり、第１輝度測定値Ｍｂ１が７０ｃｄ／ｍ２であるものとする。また、第２測定値Ｍ２では、第２色温度測定値Ｍｔ２が５５００Ｋであり、第２輝度測定値Ｍｂ２が１１０ｃｄ／ｍ２であるものとする。さらに、第３測定値Ｍ３では、第３色温度測定値Ｍｔ３が８０００Ｋであり、第３輝度測定値Ｍｂ３が１３０ｃｄ／ｍ２であるものとする。さらにまた、第４測定値Ｍ４では、第４色温度測定値Ｍｔ４が４８００Ｋであり、第４輝度測定値Ｍｂ４が１００ｃｄ／ｍ２であるものとする。また、第５測定値Ｍ５では、第５色温度測定値Ｍｔ５が６５００Ｋであり、第５輝度測定値Ｍｂ５が１２０ｃｄ／ｍ２であるものとする。さらに、第６測定値Ｍ６では、第６色温度測定値Ｍｔ６が９０００Ｋであり、第６輝度測定値Ｍｂ６が１５０ｃｄ／ｍ２であるものとする。さらにまた、第７測定値Ｍ７では、第７色温度測定値Ｍｔ７が５０００Ｋであり、第７輝度測定値Ｍｂ７が１７０ｃｄ／ｍ２であるものとする。また、第８測定値Ｍ８では、第８色温度測定値Ｍｔ８が７０００Ｋであり、第８輝度測定値Ｍｂ８が１９０ｃｄ／ｍ２であるものとする。さらに、第９測定値Ｍ９では、第９色温度測定値Ｍｔ９が１００００Ｋであり、第９輝度測定値Ｍｂ９が２００ｃｄ／ｍ２であるものとする。
【００４２】
図８は、図５に示すステップ１０８において予測される予測値Ｐの一例を示す図である。この例では、ステップ１０８で得られる予測値Ｐが、色温度の予測値である色温度予測値Ｐｔと、輝度の予測値である輝度予測値Ｐｂとを含んでいる。そして、図８は、予測値Ｐと、予測値Ｐを予測した予測条件（表示設定）と、予測値Ｐにおける色温度予測値Ｐｔおよび輝度予測値Ｐｂとを対応付けたものとなっている。
【００４３】
なお、ここでは、図４に示す１５個の表示設定から、ステップ１０２において測定条件として選択されたものを除く６つの表示設定（第２設定Ｓｅｔ２、第４設定Ｓｅｔ４、第７設定Ｓｅｔ７、第９設定Ｓｅｔ９、第１２設定Ｓｅｔ１２、第１４設定Ｓｅｔ１４）が、予測条件として選択されているものとする。また、図８に示す例においては、予測値Ｐのうち、第２設定Ｓｅｔ２にて得られるものを第１予測値Ｐ１、第４設定Ｓｅｔ４にて得られるものを第２予測値Ｐ２、第７設定Ｓｅｔ７にて得られるものを第３予測値Ｐ３、第９設定Ｓｅｔ９にて得られるものを第４予測値Ｐ４、第１２設定Ｓｅｔ１２にて得られるものを第５予測値Ｐ５、第１４設定Ｓｅｔ１４にて得られるものを第６予測値Ｐ６、とそれぞれ呼ぶことにする。また、第１予測値Ｐ１は第１色温度予測値Ｐｔ１と第１輝度予測値Ｐｂ１とを含み、第２予測値Ｐ２は第２色温度予測値Ｐｔ２と第２輝度予測値Ｐｂ２とを含み、第３予測値Ｐ３は第３色温度予測値Ｐｔ３と第３輝度予測値Ｐｂ３とを含み、第４予測値Ｐ４は第４色温度予測値Ｐｔ４と第４輝度予測値Ｐｂ４とを含み、第５予測値Ｐ５は第５色温度予測値Ｐｔ５と第５輝度予測値Ｐｂ５とを含み、第６予測値Ｐ６は第６色温度予測値Ｐｔ６と第６輝度予測値Ｐｂ６とを含んでいる。
【００４４】
そして、第１予測値Ｐ１では、第１色温度予測値Ｐｔ１が５０００Ｋであり、第１輝度予測値Ｐｂ１が９０ｃｄ／ｍ２であるものとする。また、第２予測値Ｐ２では、第２色温度予測値Ｐｔ２が６８００Ｋであり、第２輝度予測値Ｐｂ２が１２５ｃｄ／ｍ２であるものとする。さらに、第３予測値Ｐ３では、第３色温度予測値Ｐｔ３が５５００Ｋであり、第３輝度予測値Ｐｂ３が１１０ｃｄ／ｍ２であるものとする。さらにまた、第４予測値Ｐ４では、第４色温度予測値Ｐｔ４が７８００Ｋであり、第４輝度予測値Ｐｂ４が１３５ｃｄ／ｍ２であるものとする。また、第５予測値Ｐ５では、第５色温度予測値Ｐｔ５が６０００Ｋであり、第５輝度予測値Ｐｂ５が１８０ｃｄ／ｍ２であるものとする。さらにまた、第６予測値Ｐ６では、第６色温度予測値Ｐｔ６が８５００Ｋであり、第６輝度予測値Ｐｂ６が１９５ｃｄ／ｍ２であるものとする。
【００４５】
図９は、図５に示すステップ１０８における予測値の算出手法を説明するための図である。ここで、図９は、横軸を色温度（Ｋ）とし且つ縦軸を輝度（ｃｄ／ｍ２）としたときの、測定値Ｍ（第１測定値Ｍ１〜第９測定値Ｍ９）および予測値Ｐ（第１予測値Ｐ１〜第６予測値Ｐ６）の関係を示している。なお、図９には、参考のため、これら測定値Ｍおよび予測値Ｐに加えて、目標値Ｔも併せて示している。
【００４６】
本実施の形態では、予測値Ｐを構成する第１予測値Ｐ１〜第６予測値Ｐ６を、測定値Ｍを構成する第１測定値Ｍ１〜第９測定値Ｍ９に基づいて予測している。例えば第１予測値Ｐ１および第２予測値Ｐ２は、図４に示す表示設定において輝度が「暗」となる点で共通する第１測定値Ｍ１、第２測定値Ｍ２および第３測定値Ｍ３を用い、公知の補間法（例えばラグランジュ補間やスプライン補間）にて演算を行うことで求めることができる。また、例えば第３予測値Ｐ３および第４予測値Ｐ４は、図４に示す表示設定において輝度が「中」となる点で共通する第４測定値Ｍ４、第５測定値Ｍ５および第６測定値Ｍ６を用い、上記補間法にて演算を行うことで求めることができる。さらに、例えば第５予測値Ｐ５および第６予測値Ｐ６は、図４に示す表示設定において輝度が「明」となる点で共通する第７測定値Ｍ７、第８測定値Ｍ８および第９測定値Ｍ９を用い、上記補間法にて演算を行うことで求めることができる。
【００４７】
なお、図９からも明らかなように、この例においては、目標値Ｔを構成する色温度目標値Ｔｔおよび輝度目標値Ｔｂの両者の数値が一致する測定値Ｍあるいは予測値Ｐは存在しない。
【００４８】
図１０は、図５に示すステップ１１１における差分の算出およびステップ１１２における差分の調整を説明するための図である。ここで、図１０は、測定条件（または予測条件）と、測定値Ｍ（または予測値Ｐ）と、色温度に関連する事項と、輝度に関連する事項と、調整済差分Ｄａとを対応付けたものとなっている。また、図１０において、色温度に関連する事項は、色温度目標値Ｔｔと、色温度測定値Ｍｔ（または色温度予測値Ｐｔ）と、色温度目標値Ｔｔおよび色温度測定値Ｍｔ（または色温度予測値Ｐｔ）の差である色温度差Ｄｔと、色温度の大きさに基づいて決められた色温度重み係数Ｗｔと、色温度差Ｄｔに色温度重み係数Ｗｔを乗じて得られる調整済色温度差Ｄａｔとを有している。さらに、図１０において、輝度に関連する事項は、輝度目標値Ｔｂと、輝度測定値Ｍｂ（または輝度予測値Ｐｂ）と、輝度目標値Ｔｂおよび輝度測定値Ｍｂ（または輝度予測値Ｐｂ）の差である輝度差Ｄｂと、輝度の大きさに基づいて決められた輝度重み係数Ｗｂと、輝度差Ｄｂに輝度重み係数Ｗｂを乗じて得られる調整済輝度差Ｄａｂとを有している。なお、上述した調整済差分Ｄａは、調整済色温度差Ｄａｔと調整済輝度差Ｄａｂとの和として表される。
【００４９】
ここで、図１１は、図１０に示す色温度重み係数Ｗｔおよび輝度重み係数Ｗｂを説明するための図である。ここで、図１１（ａ）は色温度重み係数Ｗｔに関する図を、図１１（ｂ）は輝度重み係数Ｗｂに関する図を、それぞれ示している。
【００５０】
図１１（ａ）において、横軸は色温度（Ｋ）であり、縦軸は色温度重み係数Ｗｔである。この例においては、色温度の大きさが色温度目標値Ｔｔ（この例では６５００Ｋ）のときに色温度重み係数Ｗｔが０となり、色温度の大きさが色温度目標値Ｔｔから上側または下側にずれるにしたがって、色温度重み係数Ｗｔが一次関数的に増加するようになっている。
【００５１】
一方、図１１（ｂ）において、横軸は輝度（ｃｄ／ｍ２）であり、縦軸は輝度重み係数Ｗｂである。この例においては、輝度の大きさが輝度目標値Ｔｂ（この例では１００ｃｄ／ｍ２）以上となるときに輝度重み係数Ｗｂが１となり、輝度の大きさが輝度目標値Ｔｂから下側にずれるにしたがって、輝度重み係数Ｗｂが一次関数的に増加するようになっている。
【００５２】
この例においては、図１０に示したように、１５通りの表示設定（９通りの測定条件および６通りの予測条件）のうち、第８設定Ｓｅｔ８における調整済差分Ｄａの値（＝２０）が、他の第１設定Ｓｅｔ１〜第７設定Ｓｅｔ７および第９設定Ｓｅｔ９〜第１５設定Ｓｅｔ１５における各調整済差分Ｄａの値よりも小さくなっている。これにより、図５に示すステップ１１３では、上記第８設定Ｓｅｔ８が設定条件として選択される。
【００５３】
ここで、図９を参照すると、第８設定Ｓｅｔ８において得られる第５測定値Ｍ５の大きさ（第５色温度測定値Ｍｔ５＝６５００Ｋ、第５輝度測定値Ｍｂ５＝１２０Ｃｄ／ｍ２）は、目標値Ｔ（色温度目標値Ｔｔ＝６５００Ｋ、輝度目標値Ｔｂ＝１００Ｃｄ／ｍ２）に近いことがわかる。したがって、このような手法を用いて表示装置３０における表示条件を決定することにより、表示装置３０における表示条件を、目標値Ｔにより近づけることが可能となる。そして、表示装置３０における表示条件を目標値Ｔにより近づけた状態で色変換プロファイルを作成することにより、色変換後の色信号における階調の潰れ等を抑制することができ、表示装置３０における表示画面に、画像をより正しい色で表示させることが可能となる。
【００５４】
ここで、本実施の形態では、色温度重み係数Ｗｔについては、図１１（ａ）に示したように色温度目標値Ｔｔを中心として対称に設定する一方、輝度重み係数Ｗｂについては、図１１（ｂ）に示したように輝度目標値Ｔｂを中心として非対称に設定しているが、これは次の理由による。
【００５５】
本実施の形態では、ハードウェアカラーマッチング動作を実行して表示装置３０における表示条件を適切な状態に設定した後に、ソフトウェアカラーマッチング動作を実行してコンピュータ装置２０における色変換プロファイルを作成する。ここで、色変換プロファイルの作成においては、設定された表示条件における色再現がより正確となるように、ＲＧＢ各色の階調カーブの設定等が行われる。このとき、設定された表示条件と、要求されている目標値との乖離が大きくなってしまうほど、作成される色変換プロファイルに含まれる誤差が大きくなる。そして、この誤差が大きくなると、色変換プロファイルを用いて色変換された画像の階調性が劣化し、表示装置３０に表示される画像の色が、目的としていた色からずれることになってしまう。
【００５６】
ここで、色変換プロファイルの作成においては、表示装置３０に表示される画像の輝度が、表示設定における輝度よりも低下する結果となることがある。このため、本実施の形態では、輝度目標値Ｔｂ未満となる輝度での輝度重み係数Ｗｂの値を、輝度目標値Ｔｂ以上となる輝度での輝度重み係数Ｗｂの値よりも大きくすることで、輝度目標値Ｔｂよりも小さい輝度となる表示設定が、設定条件として選択されにくくなるようにしている。これを逆の観点からみれば、この例においては、輝度目標値Ｔｂ以上の輝度となる表示設定が、設定条件として選択されやすくなるようにしているともいえる。
【００５７】
一方、色変換プロファイルの作成においては、表示装置３０に表示される画像の色温度が、表示設定における色温度よりも低下したり増加したりすることは少ない。このため、本実施の形態では、色温度目標値Ｔｔ超および色温度目標値Ｔｔ未満となる色温度での色温度重み係数Ｗｔの値を、色温度目標値Ｔｔでの色温度重み係数Ｗｔの値よりも大きくすることで、色温度目標値Ｔｔよりも大きいあるいは小さい色温度となる表示設定が、設定条件として選択されにくくなるようにしている。
【００５８】
図１２は、図５に示すステップ１１０すなわち図６に示す輝度目標値修正処理の手順の一例を説明する図である。なお、図１２において、図中左上部にはステップ２０１で算出される白目標値Ｔｗを、図中左下部にはステップ２０３で測定される白測定値Ｍｗを、図中中央部にはステップ２０４で算出される白差分Ｄｗを、図中右部にはステップ２０５で得られる調整済白測定値Ｍａを、それぞれ示している。
【００５９】
まず、ステップ２０１では、ステップ１０１で取得した目標値Ｔ（色温度目標値Ｔｔおよび輝度目標値Ｔｂ）から、ＸＹＺ色空間への色変換を行って、白に関する目標値である白目標値Ｔｗを算出する。ここで、白目標値Ｔｗは、Ｘ成分である第１白目標値Ｘｔと、Ｙ成分である第２白目標値Ｙｔと、Ｚ成分である第３白目標値Ｚｔとを含んでいる。なお、この例においては、Ｚｔ＞Ｙｔ＞Ｘｔの関係を有しているものとする。
【００６０】
続くステップ２０２およびステップ２０３では、表示装置３０の表示画面３１に、ステップ１１３（図５参照）にて選択された表示設定にて、（Ｒ，Ｇ，Ｂ）＝（２５５，２５５，２５５）となる画像（白画像）を表示させ、表示された白画像を測色器１００で読み取った結果に対し、ＸＹＺ色空間への色変換を行って、白測定値Ｍｗを得る。ここで、白測定値Ｍｗは、Ｘ成分である第１白測定値Ｘｍと、Ｙ成分である第２白測定値Ｙｍと、Ｚ成分である第３白測定値Ｚｍとを含んでいる。なお、この例においては、Ｙｍ＞Ｚｍ＞Ｘｍの関係を有しているものとする。
【００６１】
そして、ステップ２０４では、白目標値Ｔｗと白測定値Ｍｗとの差分となる白差分Ｄｗが、Ｘ成分、Ｙ成分およびＺ成分のそれぞれについて求められる。なお、この例においては、白目標値Ｔｗおよび白測定値Ｍｗが、Ｘｍ＞Ｘｔ、Ｙｍ＞Ｙｔ、Ｚｍ＞Ｚｔの関係を有しているものとする。したがって、この例においては、Ｘ成分の差分である第１白差分Ｘｄの大きさがＸｄ＝Ｘｍ−Ｘｔ＞０となり、Ｙ成分の差分である第２白差分Ｙｄの大きさがＹｄ＝Ｙｍ−Ｙｔ＞０となり、Ｚ成分の差分である第３白差分Ｚｄの大きさがＺｄ＝Ｚｍ−Ｚｍ＞０となる。すなわち、白差分Ｄｗを構成する第１白差分Ｘｄ、第２白差分Ｙｄおよび第３白差分Ｚｄのすべてが、０を超える正の値となる。
【００６２】
続くステップ２０５では、白目標値Ｔｗを構成する第１白目標値Ｘｔ、第２白目標値Ｙｔおよび第３白目標値Ｚｔのそれぞれから、白測定値Ｍｗを構成する第１白測定値Ｘｍ、第２白測定値Ｙｍおよび第３白測定値Ｚｍの中で最小となる値を用いて減算を行うことで、調整済白測定値Ｍａを得る。この例では、第３白測定値Ｚｍが最小となっていることから、第１白目標値Ｘｔ、第２白目標値Ｙｔおよび第３白目標値Ｚｔのそれぞれから、第３白測定値Ｚｍを減算することで、調整済白測定値Ｍａとして、第１調整済白測定値Ｘａ（＝Ｘｍ−Ｚｄ）、第２調整済白測定値Ｙａ（＝Ｙｍ−Ｚｄ）および第３調整済白測定値Ｚａ（＝Ｚｍ−Ｚｄ）を得る。
【００６３】
そして、ステップ２０６では、得られた調整済白測定値Ｍａにおける第２調整済白測定値Ｙａを、輝度目標値Ｔｂに代わる修正済輝度目標値Ｔｂｃとし、輝度目標値修正処理を完了する。
【００６４】
図１３は、ステップ１１０における輝度目標値修正処理の手順の他の一例を説明するための図である。なお、図１３において、図中左上部にはステップ２０１で算出される白目標値Ｔｗを、図中左下部にはステップ２０３で測定される白測定値Ｍｗを、図中中央部にはステップ２０４で算出される白差分Ｄｗを、図中右部にはステップ２０５で得られる調整済白測定値Ｍａを、それぞれ示している。
【００６５】
まず、ステップ２０１では、ステップ１０１で取得した目標値Ｔ（色温度目標値Ｔｔおよび輝度目標値Ｔｂ）から、ＸＹＺ色空間への色変換を行って、白に関する目標値である白目標値Ｔｗを算出する。ここで、白目標値Ｔｗは、Ｘ成分である第１白目標値Ｘｔと、Ｙ成分である第２白目標値Ｙｔと、Ｚ成分である第３白目標値Ｚｔとを含んでおり、Ｚｔ＞Ｙｔ＞Ｘｔの関係を有している（図１２と同じ）であるものとする。
【００６６】
続くステップ２０２およびステップ２０３では、表示装置３０の表示画面３１に、ステップ１１３（図５参照）にて選択された表示設定にて、（Ｒ，Ｇ，Ｂ）＝（２５５，２５５，２５５）となる画像（白画像）を表示させ、表示された白画像を測色器１００で読み取った結果に対し、ＸＹＺ色空間への色変換を行って、白測定値Ｍｗを得る。ここで、白測定値Ｍｗは、Ｘ成分である第１白測定値Ｘｍと、Ｙ成分である第２白測定値Ｙｍと、Ｚ成分である第３白測定値Ｚｍとを含んでおり、この例においては、Ｙｍ＞Ｘｍ＞Ｚｍの関係を有している（図１２と異なる）ものとする。
【００６７】
そして、ステップ２０４では、白目標値Ｔｗと白測定値Ｍｗとの差分となる白差分Ｄｗが、Ｘ成分、Ｙ成分およびＺ成分のそれぞれについて求められる。なお、この例においては、白目標値Ｔｗおよび白測定値Ｍｗが、Ｘｍ＞Ｘｔ、Ｙｍ＞Ｙｔ、Ｚｍ＜Ｚｔの関係を有しているものとする。したがって、この例においては、Ｘ成分の差分である第１白差分Ｘｄの大きさがＸｄ＝Ｘｍ−Ｘｔ＞０となり、Ｙ成分の差分である第２白差分Ｙｄの大きさがＹｄ＝Ｙｍ−Ｙｔ＞０となる一方、Ｚ成分の差分である第３白差分Ｚｄの大きさがＺｄ＝Ｚｔ−Ｚｍ＜０となる。すなわち、白差分Ｄｗを構成する第１白差分Ｘｄ、第２白差分Ｙｄおよび第３白差分Ｚｄのうち、第１白差分Ｘｄおよび第２白差分Ｙｄは０を超える正の値となるものの、第３白差分Ｚｄは０を超えない負の値となる。
【００６８】
続くステップ２０５では、白差分Ｄｗを構成する第１白差分Ｘｄ、第２白差分Ｙｄおよび第３白差分Ｚｄの中で最小となる値を用いて加算を行うことで、調整済白測定値Ｍａを得る。この例では、第３白差分Ｚｄが最小となっていることから、第１白目標値Ｘｔ、第２白目標値Ｙｔおよび第３白目標値Ｚｔのそれぞれに対し、第３白差分Ｚｄを加算することで、調整済白測定値Ｍａとして、第１調整済白測定値Ｘａ（＝Ｘｍ＋Ｚｄ）、第２調整済白測定値Ｙａ（＝Ｙｍ＋Ｚｄ）および第３調整済白測定値Ｚａ（＝Ｚｍ＋Ｚｄ）を得る。
【００６９】
そして、ステップ２０６では、得られた調整済白測定値Ｍａにおける第２調整済白測定値Ｙａを、輝度目標値Ｔｂに代わる修正済輝度目標値Ｔｂｃとし、輝度目標値修正処理を完了する。
【００７０】
なお、この例において、第２調整済白測定値Ｙａを、輝度目標値Ｔｂに代わる修正済輝度目標値Ｔｂｃとしているのは、ＸＹＺ色空間におけるＹ成分が輝度を表すものとされていることによる。
【００７１】
このように、図６に示す輝度目標値修正処理（輝度目標値Ｔｂを修正済輝度目標値Ｔｂｃに置き換える処理）を実行した場合には、この修正済輝度目標値Ｔｂｃを用いて、表示条件を設定することになる。これにより、色変換プロファイルを作成する際に、色温度補正時における輝度低下を防止することができる。それゆえ、作成された色変換プロファイルを用いて色変換された画像の色を、より目的としていた色に近づけることが可能になる。
【００７２】
なお、本実施の形態では、目標値、測定値、予測値および表示条件として、色温度と輝度とを用いる場合を例としたが、これに限られるものではなく、他の設定を用いてもかまわない。
また、本実施の形態では、図１１に示したような条件にて色温度重み係数Ｗｔおよび輝度重み係数Ｗｂを決定していたが、これに限られるものではなく、その決定手法については変更してもかまわない。
【符号の説明】
【００７３】
１０…画像表示システム、２０…コンピュータ装置、２０ａ…ＣＰＵ、２０ｂ…メインメモリ、２０ｃ…ＨＤＤ、２０ｄ…通信Ｉ／Ｆ、２１…表示装置設定部、２２…色変換プロファイル作成部、２３…色変換部、３０…表示装置、３１…表示画面、４０…入力装置、１００…測色器、２１１…目標値取得部、２１２…測定値取得部、２１３…予測値演算部、２１４…表示条件決定部
【図１】
2014239307.tif 000003
【図２】
2014239307.tif 000004
【図３】
2014239307.tif 000005
【図４】
2014239307.tif 000006
【図５】
2014239307.tif 000007
【図６】
2014239307.tif 000008
【図７】
2014239307.tif 000009
【図８】
2014239307.tif 000010
【図９】
2014239307.tif 000011
【図１０】
2014239307.tif 000012
【図１１】
2014239307.tif 000013
【図１２】
2014239307.tif 000014
【図１３】
2014239307.tif 000015